(57)【特許請求の範囲】
【請求項１】
フロア又は天井に設置されたスタンド本体に対して、２本の平行な前アームと後アームを含む平行リンク機構を、前アームの途中に設定された回転軸を中心に前後傾動自在に取付け、
該平行リンク機構の上部は前方へ延長形成された横アームの基端部により構成され、該横アームの先端側に手術顕微鏡を支持し、少なくとも手術顕微鏡及び横アームがドレープにて覆われる手術顕微鏡装置であって、
前記横アームは中空構造で、横アームの先端側には吸気口が且つ基端部には接続口が形成され、
接続口内に挿入される吸気管を上部に且つ排気口を下端に有する排気管を下部に備えた排気ポンプ手段が、平行リンク機構の後アーム又は前アームのいずれかに取付けられていることを特徴とする手術顕微鏡装置。
【請求項２】
排気ポンプ手段を後アームに取付けたことを特徴とする請求項１記載の手術顕微鏡装置。
【請求項３】
横アームの基端部における接続口の周辺部がカバーとして取り外し自在であることを特徴とする請求項１又は請求項２記載の手術顕微鏡装置。
【発明の詳細な説明】
【技術分野】
【０００１】
本発明はドレープで覆って使用する手術顕微鏡装置に関する。
【背景技術】
【０００２】
脳神経外科手術等において使用される手術顕微鏡装置は、手術顕微鏡を空中に釣り下げた状態で支持する。フロアに設置されたスタンド本体に縦方向に延びる平行リンク機構を軸支し、その平行リンク機構の上端から水平方向に延びる横アームを形成し、該横アームの先端側に手術顕微鏡を釣り下げて支持する。
【０００３】
手術顕微鏡装置は、少なくとも手術顕微鏡及び横アームを無菌状態にするためにドレープにて覆われる。ドレープは垂れ下がるとドクター又はアシスタントの視界を妨げるため、横アーム内に内蔵された排気ポンプ手段によりドレープ内の空気を吸引してドレープを手術顕微鏡装置に密着させている（例えば、特許文献１参照）
【先行技術文献】
【特許文献】
【０００４】
【特許文献１】特許第２９８８９８０号公報
【発明の概要】
【発明が解決しようとする課題】
【０００５】
しかしながら、このような関連技術にあっては、排気ポンプ手段が横アームの内部に予め内蔵されているため、排気ポンプ手段の修理や保守などのメンテナンス作業が面倒である。また排気ポンプ手段が内蔵されている分、横アームの重量が増すため、全体の重量均衡をとるためのカウンタウェイトも大型化する。
【０００６】
本発明は、このような関連技術の課題に着目してなされたものであり、排気ポンプ手段のメンテナンス作業が容易で且つ横アームの軽量化を図ることができる手術顕微鏡装置を提供することを目的としている。
【課題を解決するための手段】
【０００７】
本発明の第１の特徴によれば、フロア又は天井に設置されたスタンド本体に対して、２本の平行な前アームと後アームを含む平行リンク機構を、前アームの途中に設定された回転軸を中心に前後傾動自在に取付け、該平行リンク機構の上部は前方へ延長形成された横アームの基端部により構成され、該横アームの先端側に手術顕微鏡を支持し、少なくとも手術顕微鏡及び横アームがドレープにて覆われる手術顕微鏡装置であって、前記横アームは中空構造で、横アームの先端側には吸気口が且つ基端部には接続口が形成され、接続口内に挿入される吸気管を上部に且つ排気口を下端に有する排気管を下部に備えた排気ポンプ手段が、平行リンク機構の後アーム又は前アームのいずれかに取付けられる。
【０００８】
本発明の第２の特徴によれば、排気ポンプ手段が後アームに取付けられる。
【０００９】
本発明の第３の特徴によれば、横アームの基端部における接続口の周辺部がカバーとして取り外し自在である。
【発明の効果】
【００１０】
本発明の第１の特徴によれば、排気ポンプ手段が平行リンク機構の後アーム又は前アームのいずれかに取付けられ外部に露出しているため、修理や保守を行う際にはスタンド本体から排気ポンプ手段を取り外して作業を行うことができ、メンテナンス作業が容易である。また横アームの内部に存在しないため、横アームの重量が増すこともない。
【００１１】
第２の特徴によれば、排気ポンプ手段が後アームに取付けられているため、排気ポンプ手段の重さが手術顕微鏡の重量を相殺する方向に作用し、スタンド本体の全体的な重量均衡をとるためのカウンタウェイトも小型化できる。
【００１２】
第３の特徴によれば、横アームの基端部における接続口の周辺がカバーとして取り外し自在であるため、排気ポンプ手段の吸気管を予めカバーの接続口に挿入しておき、そのカバーの取付けと同時に排気ポンプ手段を取付けることで、吸気管の横アームの内部への挿入作業を容易に行うことができる。
【図面の簡単な説明】
【００１３】
【図１】本発明の実施形態に係る手術顕微鏡装置を示す側面図。
【図２】排気ポンプ手段の取付け状態を示す斜視図。
【図３】横アームの先端付近を示す斜視図。
【発明を実施するための形態】
【００１４】
本発明の好適な実施形態を図１〜図３に基づいて説明する。
【００１５】
スタンド本体１は手術室内で手術顕微鏡２を吊り下げて使用するためのものである。スタンド本体１には前アーム３と後アーム４を含む平行リンク機構Ａが、前アーム４の途中に設定された回転軸５を中心に前後傾倒自在に支持されている。
【００１６】
この平行リンク機構Ａの下部にはカウンタウェイトＷが設けられている。平行リンク機構Ａの上部からは前方に向けて横アーム６が延びている。横アーム６の先端には先端アーム７の下端が軸支され、その下方に吊下げアーム８を介して手術顕微鏡２が支持されている。
【００１７】
横アーム６の前アーム３に対する軸支点９には基端アーム１０の下端が軸支されている。基端アーム１０は前アーム３内の図示せぬ別の平行リンク機構（第２平行リンク）により常に垂直が維持される。この基端アーム１０と先端アーム７の上端同士はサブアーム１１にて連結されてさらに別の平行リンク機構（第３平行リンク）を構成する。これにより第３平行リンクの横リンク辺としての横アーム６を軸支点９を中心にして上下に回動させても先端アーム７の垂直状態が維持される。
【００１８】
横アーム６は金属製の円筒形状で上側に湾曲している。上側に湾曲しているのは下側の作業スペースを確保するためである。中空構造の横アーム６の両端は鋳物製の中空部材１２、１３で形成されている。横アーム６はこれら中空部材１２、１３も構造として含んだ状態で全体として中空である。中空部材１２の前アーム３より後方部分は平行リンク機構Ａの一部（横リンク辺）を構成し、横アーム６は平行リンク機構Ａと連動する。
【００１９】
横アーム６の先端の中空部材１３には吸気口１４が開口形成されている。後側の中空部材１２は基端アーム１０より後側が別部品のカバー１５として取付け自在になっている。このカバー１５には接続口１６が開口形成されている。したがって、吸気口１４および接続口１６を両端の開口部とする１つの通気路が形成される。
【００２０】
スタンド本体１には手術顕微鏡２から横アーム６を含む必要部分が無菌状態にするためのドレープＰにて覆われる。特に横アーム６や手術顕微鏡２を覆う部分のドレープＰが下側に垂れ下がると、ドクターやアシスタント等の視野を邪魔するため、ドレープＰを横アーム６や手術顕微鏡２に密着させる必要がある。
【００２１】
そのため中空構造の横アーム６を通気路として先端の吸気口１４からドレープＰ内の空気Ｅを吸引する。吸引は排気ポンプ手段１７により行われる。この排気ポンプ手段１７はドレープＰを被せる前に取付けておく。
【００２２】
排気ポンプ手段１７はポンプを内蔵した縦長形状で、その上部に設けられた可撓性を有する吸気管１８と、その下部に設けられたストレート管形状の排気管１９を備えた構造を有している。排気管１９の下端は排気口２０になっている。排気ポンプ手段１７の一部にはスイッチ２１が設けられている。この排気ポンプ手段１７の図示せぬ電源コードはスタンド本体１の電源に接続されている。
【００２３】
排気ポンプ手段１７の取付け方を説明する。まずカバー１５を外し、その接続口１６に排気ポンプ手段１７の吸気管１８を挿入しておく。そしてカバー１５をその吸気管１８を中空部材１２の内部に露呈している横アーム６の端部内に挿入しながら中空部材１２に対して取付ける。
【００２４】
カバー１５の取付けと同時に、排気ポンプ手段１７をその排気管１９部分で２つのクランプ２２により後アーム４に取付ける。排気ポンプ手段１７は後アーム４に取付けることにより後アーム４に沿った状態となり、吸気管１８は所定長さ分だけ接続口１６から横アーム６内に挿入された状態となる。このようにカバー１５の取付けと同時に排気ポンプ手段１７を取付けることで、吸気管１８の横アーム６の内部への挿入作業を容易に行うことができる。
【００２５】
この排気ポンプ手段１７を取付けた後に、この排気ポンプ手段１７も含めてドレープＰが被せられる。ドレープＰを被せた後に排気ポンプ手段１７のスイッチ２１を押すと、横アーム６内が減圧され、先端の吸気口１４からドレープＰ内の空気Ｅが吸引され、吸引された空気Ｅは横アーム６及び排気ポンプ手段１７を通過して排気管１９の下端の排気口２０からドレープＰの外部へ排出される。
【００２６】
先端アーム７の垂直姿勢を維持する第３平行リンク機構を構成する横リンク辺としての横アーム６を吸引通路とし先端に吸気口１４を設けたため、横アーム６の先端の吸気口１４から空気Ｅが吸引される。そのため、手術顕微鏡２付近及び横アーム６の先端付近のドレープＰが確実に吸引されて密着状態となり、周辺にいる人の視野を邪魔しない。
【００２７】
このように排気ポンプ手段１７が後アーム４に取付けられ、外部に露出しているため、排気ポンプ手段１７の修理や保守を行う際には排気ポンプ手段１７を取り外して作業を行うことができ、メンテナンス作業が容易である。
【００２８】
また排気ポンプ手段１７自体が横アーム６の内部に存在していないだけでなく、平行リンク機構Ａの回転軸５を中心とした手術顕微鏡２とは反対側の後アーム４に取付けられているため、排気ポンプ手段１７の重さが手術顕微鏡２の重量を相殺する方向に作用し、スタンド本体１の全体的な重量均衡をとるためのカウンタウェイトＷをその分だけ小型化できる。
【００２９】
尚、以上の実施形態では、排気ポンプ手段１７を後アーム４に取付ける例を示したが、前アーム３に取付けても良い。
【符号の説明】
【００３０】
１  スタンド本体
２  手術顕微鏡
３  前アーム
４  後アーム
５  回転軸
６  横アーム
１４  吸気口
１５  カバー
１６  接続口
１７  排気ポンプ手段
１８  吸気管
１９  排気管
２０  排気口
Ａ  平行リンク機構
Ｅ  空気
Ｐ  ドレープ
Ｗ  カウンタウェイト
【図１】
0006434359.tif 000002
【図２】
0006434359.tif 000003
【図３】
0006434359.tif 000004